【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  中心導体と、該中心導体を囲む同軸に延在形成された第１導体とを含む、ケーブルに実装可能な伝送線コネクタにおいて、
後端部でケーブルの中心導体に接続可能であり、前端部は中心導体の先端を形成している後部中心導体と、
ケーブルの第１同軸導体に接続可能であり、前端部とショールダとを含む後部外スリーブと、
後部外スリーブの前端部に実装された後端部を含み、ショールダを含んでいる前部外スリーブと、
後部外スリーブの前端部と、前部外スリーブの後端部との間の選択的に取り外し可能な取り付け機構と、
後部外スリーブのショールダと、前部外スリーブのショールダとの間に封入された絶縁体と、
絶縁体に実装され、中心導体の先端を形成する後端部を含んでいて、後部中心導体の中心導体の先端に慴動可能に、かつ取り外し可能に実装され、前端部を含む前部中心導体と、
を備えてなることを特徴とするコネクタ。
【請求項２】  選択的に取り外し可能な取り付け機構はねじを含んでいることを特徴とする請求項１に記載のコネクタ。
【請求項３】  前部外スリーブは筒状部を形成する前端部を含んでいることを特徴とする請求項２に記載のコネクタ。
【請求項４】  前部外スリーブは長手方向に突起する複数個のフィンガを形成する前端部を含んでいることを特徴とする請求項２に記載のコネクタ。
【請求項５】  後部外スリーブの前端部は雄ねじを含んでいることを特徴とする請求項２に記載のコネクタ。
【請求項６】  絶縁体はリング状であり、更にリングの直径部分に沿って分割された同一の２個の半部を含むことを特徴とする請求項１に記載のコネクタ。    【請求項７】  前部中心導体の前端部は中心導体の雄の先端を形成することを特徴とする請求項１に記載のコネクタ。
【請求項８】  前部中心導体の前端部は中心導体の雌の先端を形成することを特徴とする請求項１に記載のコネクタ。
【請求項９】  前部および後部の外スリーブと、前部および後部の中心導体と、絶縁体とを格納するための内部を形成するコネクタ体を更に備え、コネクタ体は内部にアクセスできるように互いに取り外し可能に実装された第１と第２の部分を含んでいることを特徴とする請求項１に記載のコネクタ。
【請求項１０】  コネクタ体の第１と第２の部分は互いにねじ止め可能に実装されていることを特徴とする請求項９に記載のコネクタ。
【請求項１１】  前部と後部の外スリーブは各々、非対称のグリップ外表面を含んでいることを特徴とする請求項１に記載のコネクタ。
【請求項１２】  非対称のグリップ外表面は平坦部を含んでいることを特徴とする請求項１１に記載のコネクタ。
【請求項１３】  ケーブルは中心導体と、該中心導体を囲む同軸に延在形成された第１導体とを含み、コネクタ部分はケーブルの中心導体に実装された後部中心導体と、ケーブルの第１導体に実装された後部外スリーブとを含んでおり、かつ後部外スリーブはねじ付きの前端部と、ショールダとを含んでいる形式の、ケーブルに実装可能なコネクタ部分に実装可能な雌の伝送線コネクタキットにおいて、
後部外スリーブのねじ付きの前端部にねじ止め可能に実装されるねじ付き後端部を含み、内部ショールダを含み、更に前端部を含んでいる前部外スリーブと、
前部外スリーブ内に受容され、内部ショールダと係合可能であり、後部外スリーブのショールダと係合可能である絶縁体と、
絶縁体に実装され、後部中心導体に慴動可能に、かつ取り外し可能に実装された後端部を含み、雌の中心導体先端を形成する前端部を含んでいる前部中心導体であって、雌のコネクタは前部外スリーブと、絶縁体と、前部中心導体とがケーブルに実装されたコネクタ部分に実装されると、雌のコネクタが形成される形式の前部中心導体と、
を備えてなることを特徴とする雌のコネクタキット。
【請求項１４】  絶縁体はリング状であり、更にリングの直径部分に沿って分割された同一の２個の半部を含むことを特徴とする請求項１３に記載の雌のコネクタキット。
【請求項１５】  中心導体を有するケーブル用のコネクタで使用される中心導体および絶縁体において、
第１と第２の端部の間の前後軸の間に沿って、間に中心領域を設けて延在形成されている金属体と、
径違い部分と、間隔を隔てて対向する２つの径方向ショールダとを形成する中心領域と、
中心導体の雌の先端を形成する第１端部と、
リング状の形状を有し、更にリングの形状の直径部分に沿って分割された同一の２つの半部を含む絶縁体とを備えてなり、更に、各々の半部はこれらを金属体の中心領域の径違い部分の周囲に実装すると、他方の半部のそれぞれの溝と柱に係合するための柱と溝とを含んでいることを特徴とする中心導体および絶縁体。
【請求項１６】  第２端部は中心導体の雌の先端を形成することを特徴とする請求項１５に記載の中心導体。
【請求項１７】  第２端部は中心導体の雄の先端を形成することを特徴とする請求項１５に委細の中心導体。
【請求項１８】  伝送線コネクタの組立て方法において、
中心導体と、同軸の第１導体とを含む伝送線ケーブルを備えるステップと、
ケーブルの中心導体に実装された後部中心導体と、第１の同軸導体に実装された後部外スリーブとを含む、ケーブルに実装されるコネクタの後部を備えるステップと、
ケーブルに実装された後部中心導体上に前部中心導体を慴動させるステップと、
前部外スリーブをケーブルに実装された後部外スリーブに実装し、その際に前部中心導体に実装され、かつこれを囲む絶縁体は前部外スリーブのショールダと、後部外スリーブのショールダとの間に封入されることによって、前部中心導体を後部中心導体で保持するステップと、
からなることを特徴とする方法。
【請求項１９】  前部外スリーブを後部外スリーブから取り外すステップと、  前部中心導体を後部中心導体から取り外すステップと、
後部中心導体上に第２の前部中心導体を慴動させるステップと、
第２の前部外スリーブを後部外スリーブに実装し、その際に第２の前部中心導体を囲む絶縁体は第２の前部外スリーブのショールダと、後部外スリーブのショールダとの間に封入されるステップと、
からなることを特徴とする請求項１８に記載の方法。
【請求項２０】  前部外スリーブを後部外スリーブから取り外すステップと、  前部中心導体を後部中心導体から取り外すステップと、
絶縁体を第２の前部中心導体に実装するステップと、
後部中心導体上に第２の前部中心導体を慴動させるステップと、
前部外スリーブを後部外スリーブに実装し、その際に第２の前部中心導体を囲む絶縁体は前部外スリーブのショールダと、後部外スリーブのショールダとの間に封入されるステップと、
からなることを特徴とする請求項１８に記載の方法。
【請求項２１】  後部中心導体をケーブルの中心導体に圧着するステップと、  後部外スリーブをケーブルの第１の同軸導体に圧着するステップと、を更に含むことを特徴とする請求項１８に記載の方法。
【請求項２２】  後部中心導体の後端部はケーブルの中心導体に圧着されるように構成され、後部外スリーブは、配置された端部を含むと共に、ケーブルの第１の同軸導体に圧着されるように構成され、配置された端部を含むことを特徴とする請求項１に記載のコネクタ。
【請求項２３】  前部外スリーブは非対称のグリップ外表面を含んでいることを特徴とする請求項１３に記載の雌のコネクタキット。
【請求項２４】  非対称のグリップ外表面は対向する２つの平坦部を含んでいることを特徴とする請求項２３に記載の雌のコネクタキット。
【請求項２５】  ケーブルは中心導体と、該中心導体を囲む同軸に延在形成された第１導体とを含み、コネクタ部分はケーブルの中心導体に実装された後部中心導体と、ケーブルの第１導体に実装された後部外スリーブとを含んでおり、かつ後部外スリーブはねじ付きの前端部を含んでいる形式の、ケーブルに実装可能なコネクタ部分に実装可能な雄の伝送線コネクタキットにおいて、
後部外スリーブのねじ付きの前端部にねじ止め可能に実装されるねじ付き後端部を含み、内部ショールダを含み、更に前端部を含んでいる前部外スリーブと、
前部外スリーブ内に受容され、内部ショールダと係合可能であり、後部外スリーブのショールダと係合可能である絶縁体と、
絶縁体に実装され、後部中心導体に慴動可能に、かつ取り外し可能に実装された後端部を含み、雄の中心導体先端を形成する前端部を含んでいる前部中心導体であって、雄のコネクタは前部外スリーブと、絶縁体と、前部中心導体とがケーブルに実装されたコネクタ部分に実装されると、雄のコネクタが形成される形式の前部中心導体と、
を備えてなることを特徴とする雄のコネクタキット。
【請求項２６】  絶縁体はリング状であり、更にリングの直径部分に沿って分割された同一の２個の半部を含むことを特徴とする請求項２５に記載の雄のコネクタキット。
【請求項２７】  前部外スリーブは非対称のグリップ外表面を含んでいることを特徴とする請求項２５に記載の雄のコネクタキット。
【請求項２８】  非対称のグリップ外表面は対向する２つの平坦部を含んでいることを特徴とする請求項２７に記載の雄のコネクタキット。